(57)【要約】【課題】インターネットサイトのユーザの生活スタイルや行動パターンに基づいて、ユーザが本当に興味を持つ事項が何かを高い精度で推測することができ、その結果ユーザに対して充分に高い広告効果を発揮する広告情報を提供することのできる広告情報提供方法を提供すること。【解決手段】広告情報提供方法は、携帯電話端末１０と携帯サイトサーバ６との間で送受信された送受信情報を取得するステップと、送受信情報を携帯電話端末１０の識別情報１６に関連付けて利用者履歴情報２６として蓄積するステップと、蓄積された利用者履歴情報２６に基づいて、広告情報２１，２２を複数の広告情報２９の中から抽出するステップと、携帯電話端末１０がニュース配信サイト７ａにアクセスした際に広告情報２１，２２を識別情報１６に基づいて携帯電話端末１０に向けて提供するステップとを有する。【選択図】図１０
2008097545.tif 000002
【特許請求の範囲】
【請求項１】
無線通信端末と所定のインターネットサイトとの間で送受信された送受信情報を取得するステップと、
該送受信情報を、前記無線通信端末の識別情報に関連付けて利用者履歴情報として蓄積するステップと、
蓄積された前記利用者履歴情報に基づいて、提供すべき被提供広告情報を複数の広告情報の中から抽出するステップと、
前記無線通信端末が広告表示サイトにアクセスした際に、前記被提供広告情報を前記識別情報に基づいて該無線通信端末に向けて提供するステップと、を有する広告情報提供方法。
【請求項２】
前記広告表示サイトが、前記所定のインターネットサイトとは異なるサイトである請求項１に記載の広告情報提供方法。
【請求項３】
前記所定のインターネットサイトが検索サイトであり、かつ前記送受信情報が検索キーワード情報である請求項１又は請求項２に記載の広告情報提供方法。
【請求項４】
前記送受信情報が、
前記無線通信端末によるサイトアクセス履歴情報、
該送受信情報の送受信時刻情報、又は、
前記無線通信端末の位置情報、のうち少なくとも１を含む請求項１又は請求項２に記載の広告情報提供方法。
【請求項５】
前記複数の広告情報を所定の優先順位に従って順位付けするステップをさらに有し、かつ前記抽出ステップにおいて該優先順位に基づいて前記被提供広告情報を前記複数の広告情報の中から抽出する請求項１又は請求項２に記載の広告情報提供方法。
【請求項６】
前記抽出された被提供広告情報を所定の優先順位に従って順位付けするステップをさらに有する請求項１又は請求項２に記載の広告情報提供方法。
【請求項７】
前記所定の優先順位を、
前記被提供広告情報ごとに予め定めた広告料、
前記被提供広告情報を前記無線通信端末に向けて提供する時刻と前記送受信時刻との時刻差分情報、
前記無線通信端末の位置情報と前記被提供広告情報の広告主位置情報との位置差分情報、又は、
前記無線通信端末において前記被提供広告情報が提供された場合にその詳細情報が閲覧される確率を指標するクリック期待値、のうち少なくとも１に基づいて決定する請求項５又は請求項６に記載の広告情報提供方法。
【請求項８】
無線通信端末と所定のインターネットサイトとの間で送受信された送受信情報を取得する送受信情報取得部と、
該送受信情報を、前記無線通信端末の識別情報に関連付けて利用者履歴情報として蓄積する記憶装置と、
蓄積された前記利用者履歴情報に基づいて、提供すべき被提供広告情報を複数の広告情報の中から抽出する広告情報抽出部と、
前記無線通信端末が広告表示サイトにアクセスした際に、前記被提供広告情報を前記識別情報に基づいて該無線通信端末に向けて提供する広告情報提供部と、を有する広告情報提供システム。
【請求項９】
前記抽出された被提供広告情報又は前記複数の広告情報のいずれかを所定の優先順位に従って順位付けする順位付け部をさらに有し、
前記送受信情報が、検索キーワード情報、前記無線通信端末によるサイトアクセス履歴情報、該送受信情報の送受信時刻情報、又は、前記無線通信端末の位置情報、のうち少なくとも１を含み、かつ、
前記所定の優先順位が、前記被提供広告情報ごとに予め定めた広告料、前記被提供広告情報を前記無線通信端末に向けて提供する時刻と前記送受信時刻との時刻差分情報、前記無線通信端末の位置情報と前記被提供広告情報の広告主位置情報との位置差分情報、又は、
前記無線通信端末において前記被提供広告情報が表示された場合にその詳細情報が閲覧される確率を指標するクリック期待値、のうち少なくとも１に基づいて決定される請求項７に記載の広告情報提供システム。
【請求項１０】
コンピュータを、
無線通信端末と所定のインターネットサイトとの間で送受信された送受信情報を取得する送受信情報取得部、
該送受信情報と前記無線通信端末の識別情報とが関連付けられた利用者履歴情報に基づいて、提供すべき被提供広告情報を複数の広告情報の中から抽出する広告情報抽出部、及び、
前記無線通信端末が広告表示サイトにアクセスした際に、前記被提供広告情報を前記識別情報に基づいて該無線通信端末に向けて提供する広告情報提供部、として機能させる広告情報提供プログラム。
【請求項１１】
コンピュータを、
前記抽出された被提供広告情報又は前記複数の広告情報のいずれかを所定の優先順位に従って順位付けする順位付け部としてさらに機能させ、
前記送受信情報が、検索キーワード情報、前記無線通信端末によるサイトアクセス履歴情報、該送受信情報の送受信時刻情報、又は、前記無線通信端末の位置情報、のうち少なくとも１を含み、かつ、
前記所定の優先順位を、前記被提供広告情報ごとに予め定めた広告料、前記被提供広告情報を前記無線通信端末に向けて提供する時刻と前記送受信時刻との時刻差分情報、前記無線通信端末の位置情報と前記被提供広告情報の広告主位置情報との位置差分情報、又は、
前記無線通信端末において前記被提供広告情報が表示された場合にその詳細情報が閲覧される確率を指標するクリック期待値、のうち少なくとも１に基づいて決定する請求項９に記載の広告情報提供プログラム。
【発明の詳細な説明】
【技術分野】
【０００１】
本発明は、無線通信端末に向けて広告情報を提供する広告情報提供方法、広告情報提供システム、広告情報提供プログラムに係り、特に、履歴情報、位置情報、時間情報等を利用することにより、ユーザーニーズにマッチした広告情報を無線通信端末に向けて提供することのできる広告情報提供方法等に関する。
【背景技術】
【０００２】
近年、無線通信を行うための無線通信端末が普及している。特に、電話機としての機能を備えた携帯電話端末は、場所・時間を選ばず手軽に発着信が可能な便利さに加え、端末の高機能化、低価格化、通話エリアの広範囲化によりその普及の勢いは著しい。特に近年の携帯電話端末においては、メール等の情報送受信機能を備えたものやＧＰＳ（Ｇｌｏｂａｌ  Ｐｏｓｉｔｉｏｎｉｎｇ  Ｓｙｓｔｅｍ）を利用して位置情報が送受信可能なものが主流となってきている。ここで、端末とは端末機器を意味する。
【０００３】
一方、最近の携帯電話端末では、パーソナルコンピュータ（以下、パソコン）と同様にインターネット接続機能を備えたものも多い。このインターネット接続機能を備えたパソコンや携帯電話端末は一般にウェブブラウザを搭載しており、インターネットを介して様々なインターネットサイトにアクセスすることができるようになっている。
【０００４】
例えば、検索エンジンによってキーワード検索が可能な検索サイトにアクセスし、検索キーワードを入力することにより、検索キーワードに関連する様々な情報を入手することもできる。また例えば、新聞社が運営管理するニュース配信サイトにアクセスすることにより、その日のニュース情報を得ることもできる。
【０００５】
このように、パソコンや携帯電話端末を用いたインターネットサイトへのアクセスが普及するのに伴い、インターネットサイトが新たな広告媒体として注目され広く利用されている。例えば、上述の検索サイトやニュース配信サイトのサイトページの一部に広告掲載枠が設けられ、その枠内に広告情報が掲載されることにより、多くのインターネットユーザに閲覧されて高い広告効果が得られている。
【０００６】
最近では、インターネットサイトの閲覧者（ユーザ）にとってさらに有益な広告情報を選択的に表示し、より高い広告効果を得ることが行われている。例えば、検索サイトに入力された検索キーワードに基づいて、そのキーワードとの関連性の高い広告情報を検索結果とともに表示することが行われている。これにより、そのユーザが高い関心を持つキーワードに関連する広告情報が選択的に表示され、ユーザはその広告情報にも高い関心を持つ。結果として、表示された広告情報はそのユーザにとって高い訴求力と広告効果を発揮することとなる。
【０００７】
また、別の方法としては、インターネットサイトのコンテンツを分析し、そのコンテンツとの関連性の高い広告情報を選択的にそのインターネットサイトのサイトページ内に表示することも行われている（例えば、特許文献１）。ユーザは、インターネットサイトのコンテンツに興味があってそのサイトを閲覧しているので、そのサイトのコンテンツに関連する広告情報は、そのユーザに対して高い広告効果を発揮する。
【特許文献１】特表２００６−５００６９９号公報
【発明の開示】
【発明が解決しようとする課題】
【０００８】
しかしながら、入力された１つの検索キーワードだけでは情報量が少なく、その検索キーワードに基づいて広告情報を選択してもその広告情報がユーザの興味を充分に惹きつけることができない。
【０００９】
ユーザは、様々な情報を調査すべく多数の検索キーワードを順次入力したり、特段興味を持たない事項について検索キーワード入力を行う場合がある。そのような場合に検索キーワードが入力されるたびにそのキーワードに関連する広告情報を表示しても、充分に高い広告効果を発揮するとはいえない。すなわち、ユーザの生活スタイルや行動パターンに基づいて、ユーザが本当に興味を持つ事項が何かを推測しなければ、ユーザの興味を充分に惹きつけることができず、ユーザに対して高い広告効果を発揮することができない。
【００１０】
また、特に携帯電話端末からのアクセスが可能なインターネットサイト（以下、携帯サイトという。）は、一般にパソコンからのアクセスが可能なインターネットサイト（以下、パソコンサイトという。）に比べてコンテンツの情報量が少ない。したがって、そのような携帯サイトのコンテンツを分析しても、やはり情報量が少なく分析結果の精度が低い場合がある。
【００１１】
そのような分析結果に基づいて広告情報を選択して表示しても、ユーザの興味を充分に惹きつけることができず、高い広告効果を得ることができない。
【００１２】
本発明は、上記の事情に鑑みて為されたもので、インターネットサイトのユーザの生活スタイルや行動パターンに基づいて、ユーザが本当に興味を持つ事項が何かを高い精度で推測することができ、その結果ユーザに対して充分に高い広告効果を発揮する広告情報を提供することのできる広告情報提供方法、広告情報提供システム、及び広告情報提供プログラムを提供することを例示的課題とする。
【課題を解決するための手段】
【００１３】
上記の課題を解決するために、本発明の例示的側面としての広告情報提供方法は、無線通信端末と所定のインターネットサイトとの間で送受信された送受信情報を取得するステップと、送受信情報を無線通信端末の識別情報に関連付けて利用者履歴情報として蓄積するステップと、蓄積された利用者履歴情報に基づいて、提供すべき被提供広告情報を複数の広告情報の中から抽出するステップと、無線通信端末が広告表示サイトにアクセスした際に被提供広告情報を識別情報に基づいて無線通信端末に向けて提供するステップとを有する。
【００１４】
蓄積された利用者履歴情報に基づいて提供すべき被提供広告情報を抽出するので、無線通信端末の利用者（ユーザ）の興味を充分に惹きつける広告情報を提供することができる。送受信情報を識別情報に関連付けて利用者履歴情報として蓄積しているので、ユーザの興味を推測するための情報量が多く、精度の高い推測を行うことができる。その結果、ユーザに対して高い広告効果を発揮する広告情報を提供することができる。携帯電話端末の識別情報に基づいて利用者履歴情報の蓄積や被提供広告情報の提供を行うので、情報が混乱したり錯綜したりすることがなく、確実にユーザを特定することができ、そのユーザに対して効果の高い広告情報を提供することができる。
【００１５】
その広告表示サイトが、所定のインターネットサイトとは異なるサイトであってもよいし、その所定のインターネットサイトが検索サイトであり、かつ送受信情報が検索キーワード情報であってもよい。
【００１６】
携帯電話端末の識別情報に基づいて利用者履歴情報の蓄積や被提供広告情報の提供を行うので、情報が混乱したり錯綜したりすることがなく、確実にユーザを特定することができる。したがって、送受信情報が送受信されたインターネットサイトとは異なるサイトへユーザの興味を充分に惹きつける広告情報を提供することができる。高い効果を発揮する広告情報の提供範囲が同一サイト内又は同一サーバ内に制限されることなく、広い範囲で広告情報の提供を行うことができる。また、その送受信情報が検索キーワードである場合には、ユーザが高い興味を有する事項を利用者履歴情報として蓄積することができ、より一層高い広告効果を発揮することができる。
【００１７】
送受信情報が、無線通信端末によるサイトアクセス履歴情報、送受信情報の送受信時刻情報、又は、無線通信端末の位置情報のうち少なくとも１を含んでいてもよい。
【００１８】
サイトアクセス履歴情報を利用者履歴情報として蓄積することにより、ユーザの興味の傾向や移り変わりを確実に捉えることができる。また、送受信時刻情報や位置情報を利用者履歴情報として蓄積することにより、ユーザの興味の傾向や移り変わりをさらに一層確実に捉えることができる。すなわち、ユーザが過去に興味を有した事項と現在興味を有している事項とを統計的に把握することができる。また、ユーザの位置情報から移動パターンを推測したり現在の居場所を把握したりすることができるので、その行動パターンや現在の居場所に応じて最適な被提供広告情報を抽出することができる。
【００１９】
複数の広告情報を所定の優先順位に従って順位付けするステップをさらに有し、かつ抽出ステップにおいて優先順位に基づいて被提供広告情報を複数の広告情報の中から抽出してもよいし、また、抽出された被提供広告情報を所定の優先順位に従って順位付けするステップをさらに有してもよい。
【００２０】
例えば、その所定の優先順位を、被提供広告情報ごとに予め定めた広告料、被提供広告情報を無線通信端末に向けて提供する時刻と送受信時刻との時刻差分情報、無線通信端末の位置情報と被提供広告情報の広告主位置情報との位置差分情報、又は、無線通信端末において被提供広告情報が表示された場合にその詳細情報が閲覧される確率を指標するクリック期待値、のうち少なくとも１に基づいて決定してもよい。
【００２１】
利用者履歴情報に基づいて被提供広告情報を複数抽出した場合に、その広告情報を所定の優先順位に従って順位付けすることにより、より広告主にとって衡平性の高い広告情報の提供や、より広告効果の高い広告情報の提供を行うことができる。すなわち、優先順位を被提供広告情報ごとに予め定めた広告料に基づいて決定することにより、広告主にとって高い衡平性を確保することができる。また、優先順位をクリック期待値に基づいて決定することにより、ユーザに人気のある広告主の優先順位が高くなり、やはり広告主の衡平性に寄与することができる。
【００２２】
一方、位置差分情報や時間差分情報に基づいて被提供広告情報の優先順位を決定することにより、さらに一層ユーザに有益な広告情報の提供が可能となり、高い広告効果を発揮することができる。
【００２３】
ここで、クリック期待値を、例えば広告情報が同一の無線通信端末の表示部に複数回表示された回数のうち、その広告情報がクリックされて詳細情報閲覧がされた回数の割合で定義してもよい。また、広告情報が表示部に表示された複数台の無線通信端末のうち、その広告情報がクリックされて詳細情報閲覧がされた無線通信端末の台数の割合で定義してもよい。もちろんそれら回数及び台数の混在的な統計情報であってもよい。
【００２４】
本発明の他の例示的側面としての広告情報提供システムは、無線通信端末と所定のインターネットサイトとの間で送受信された送受信情報を取得する送受信情報取得部と、送受信情報を無線通信端末の識別情報に関連付けて利用者履歴情報として蓄積する記憶装置と、蓄積された利用者履歴情報に基づいて、提供すべき被提供広告情報を複数の広告情報の中から抽出する広告情報抽出部と、無線通信端末が広告表示サイトにアクセスした際に被提供広告情報を識別情報に基づいて無線通信端末に向けて提供する広告情報提供部とを有する。
【００２５】
抽出された被提供広告情報又は複数の広告情報のいずれかを所定の優先順位に従って順位付けする順位付け部をさらに有し、送受信情報が、検索キーワード情報、無線通信端末によるサイトアクセス履歴情報、送受信情報の送受信時刻情報、又は、無線通信端末の位置情報のうち少なくとも１を含み、かつ、所定の優先順位が、被提供広告情報ごとに予め定めた広告料、被提供広告情報を無線通信端末に向けて提供する時刻と送受信時刻との時刻差分情報、無線通信端末の位置情報と被提供広告情報の広告主位置情報との位置差分情報、又は、無線通信端末において被提供広告情報が表示された場合にその詳細情報が閲覧される確率を指標するクリック期待値、のうち少なくとも１に基づいて決定されてもよい。
【００２６】
本発明のさらに他の例示的側面としての広告情報提供プログラムは、コンピュータを、無線通信端末と所定のインターネットサイトとの間で送受信された送受信情報を取得する送受信情報取得部、送受信情報と無線通信端末の識別情報とが関連付けられた利用者履歴情報に基づいて、提供すべき被提供広告情報を複数の広告情報の中から抽出する広告情報抽出部、及び、無線通信端末が広告表示サイトにアクセスした際に被提供広告情報を識別情報に基づいて無線通信端末に向けて提供する広告情報提供部として機能させる。
【００２７】
そのコンピュータを、抽出された被提供広告情報又は複数の広告情報のいずれかを所定の優先順位に従って順位付けする順位付け部としてさらに機能させ、送受信情報が、検索キーワード情報、無線通信端末によるサイトアクセス履歴情報、送受信情報の送受信時刻情報、又は、無線通信端末の位置情報のうち少なくとも１を含み、かつ、所定の優先順位を、被提供広告情報ごとに予め定めた広告料、被提供広告情報を無線通信端末に向けて提供する時刻と送受信時刻との時刻差分情報、無線通信端末の位置情報と被提供広告情報の広告主位置情報との位置差分情報、又は、無線通信端末において被提供広告情報が表示された場合にその詳細情報が閲覧される確率を指標するクリック期待値、のうち少なくとも１に基づいて決定してもよい。
【００２８】
本発明の更なる課題又はその他の特徴は、以下添付図面を参照して説明される好ましい実施例によって明らかにされるであろう。
【発明の効果】
【００２９】
本発明によれば、インターネットサイトのユーザの生活スタイルや行動パターンに基づいて、ユーザが本当に興味を持つ事項が何かを高い精度で推測することができる。しかも、その推測のために必要な情報量を多量に確保することができるので、ユーザの興味を充分に惹きつけ、高い広告効果を発揮する広告情報をユーザに対して提供することができる。
【発明を実施するための形態】
【００３０】
以下、本発明の実施の形態に係る広告情報提供方法を実現するための広告情報提供システムについて図面を用いて説明する。図１は、この広告情報提供システム及び広告情報提供のためにその広告情報提供システムと協働する他の構成を含む全体構成を示す概略ブロック図である。図１において、基地局２、携帯電話用のインターネットサーバ（携帯サイトサーバ）６、広告情報提供システムとしての広告情報管理サーバＳはインターネットＷに接続されている。
【００３１】
なお、本出願書類においては、「サイトの閲覧」と「サイトページの閲覧」とは同義であるものとして取り扱うこととする。また、「サイトへの接続」と「サイトサーバへの接続」とは同義であり、「サイトへのアクセス」と「サイトサーバへのアクセス」とは同義であるものとして取り扱うこととする。
【００３２】
基地局２は、無線通信端末としての携帯電話端末１０と無線通信を行うためのものである。基地局２は電話網（図示せず）に接続されて携帯電話端末１０による通話を実現するとともに、インターネットＷにも接続されて携帯電話端末１０を用いたインターネット接続も実現するように構成されている。したがって、携帯電話端末１０から送信された情報を受信してインターネットＷを介して携帯サイトサーバ６に送信したり、携帯サイトサーバ６や広告情報管理サーバＳからの情報をインターネットＷを介して受信して携帯電話端末１０に向けて送信したりする機能を有する。また、後述するように携帯電話端末１０の位置情報や識別情報を受信する機能も有する。
【００３３】
携帯電話端末１０は、通話機能及びインターネット接続機能を有し、基地局２を中継してインターネットＷに接続された携帯サイトサーバ６に接続することが可能に構成されている。また、ＧＰＳ機能も有し、ＧＰＳ衛星１２を利用して自身の位置情報１４を取得することが可能となっている。その位置情報１４は、携帯電話端末１０から基地局２に向けて送信されるか、又は直接ＧＰＳ衛星１２から基地局２に向けて送信されるようになっている。
【００３４】
携帯電話端末１０は、個々に固有の識別情報１６を有している。例えばその識別情報１６は１の携帯電話端末に１つ付与される携帯電話番号であってもよい。携帯電話端末１０は、自身の位置情報１４、携帯サイトへのアクセス要求情報（閲覧要求情報）、検索キーワード情報等の様々な情報を識別情報１６と関連付けて送信するようになっている。そのため、それらの情報を基地局２、携帯サイトサーバ６が受信すると、その識別情報１６に基づいてそれらの情報の送信元としての携帯電話端末１０を特定することができる。また、携帯サイトサーバ６や広告情報管理サーバＳが識別情報１６と関連付けて情報送信を行うと、その送信先としての携帯電話端末１０が特定されて、基地局２から確実に携帯電話端末１０へ向けてその情報が送信されるようになっている。
【００３５】
携帯サイトサーバ６は、インターネットＷに接続されたサーバコンピュータであって、携帯電話端末１０からのアクセスが可能な携帯サイトがそれぞれ内部に構築されたものである。例えば、携帯サイトサーバ６には、検索サイトサーバ３、ショッピングサイトサーバ４、ニュース配信サーバ７等があり、それぞれ内部に検索サイト３ａ、ショッピングサイト４ａ、ニュース配信サイト（広告表示サイト）７ａが構築されている。
【００３６】
携帯電話端末１０の利用者（ユーザ、又は閲覧者ともいう。）が、携帯電話端末１０を用いて検索サイト３ａにアクセスすると、図２（ａ）に示すように携帯電話端末１０の表示画面１０ａにキーワード検索画面３ｂが表示される。そのキーワード検索画面３ｂ内には検索キーワード入力部３ｃ、検索結果表示部３ｄが配置されている。そして、携帯電話端末１０から検索キーワード入力部３ｃに検索キーワード３ｆを入力して検索開始ボタン３ｇを押すことにより、検索結果表示部３ｄに検索キーワード３ｆに関連する情報が検索結果として表示されるようになっている（図２（ｂ）参照）。
【００３７】
このとき、入力された検索キーワード（送受信情報）３ｆの情報と携帯電話端末１０の識別情報１６とが関連付けられた上で、それらが検索サイトサーバ３から広告情報管理サーバＳに向けて送信されるようになっている。併せて、ユーザが検索を行った検索時刻情報（送受信時刻情報、送受信情報の一部）３ｈや携帯電話端末１０の検索時位置情報（位置情報、送受信情報の一部）３ｊも検索キーワード３ｆと関連付けられて広告情報管理サーバＳに向けて送信されるようになっている（図６参照）。
【００３８】
ユーザが携帯電話端末１０を用いてショッピングサイト４ａにアクセスすると、図３に示すように携帯電話端末１０の表示画面１０ａに商品選択画面４ｂが表示される。その商品選択画面４ｂ内には様々な商品情報４ｆが掲載されており、ユーザが購入商品を選択して購入ボタン４ｄを押すと、ユーザは希望の商品を購入することができるようになっている。
【００３９】
この商品購入手続における購入商品の商品情報（送受信情報）４ｆ、決済に必要な住所・氏名等の各種個人情報（送受信情報）４ｇ、購入時刻情報４ｈ（送受信時刻情報、送受信情報の一部）、携帯電話端末１０の購入時位置情報（位置情報、送受信情報の一部）４ｊが互いに関連付けられて、広告情報管理サーバＳに向けて送信されるようになっている（図６参照）。さらに、このショッピングサイト４ａのＵＲＬもサイトアクセス履歴情報（送受信情報の一部）４ｋとして識別情報１６と関連付けられて広告情報管理サーバＳに向けて送信されるようになっている。
【００４０】
ユーザが携帯電話端末１０を用いてニュース配信サイト（広告表示サイト）７ａにアクセスすると、図４（ａ）に示すように携帯電話端末１０の表示画面１０ａにニュース画面７ｂが表示される。そのニュース画面７ｂには様々なニュース記事７ｃが掲載されており、ユーザが所望のニュース記事７ｃを選択すると図４（ｂ）に示すようにニュース詳細画面７ｄが表示画面１０ａに表示され、さらにそのニュースの詳細記事７ｅや画像７ｆが閲覧できるようになっている。
【００４１】
このニュース画面７ｂやニュース詳細画面７ｄには広告掲載枠７ｇ，７ｈがそれぞれ配置されている。広告掲載枠７ｇ，７ｈには後述する広告情報管理サーバＳによって抽出された広告情報（被提供広告情報）２１，２２がそれぞれ提供されるようになっている。
【００４２】
広告情報２１や広告情報２２は、インターネットＷを介していったんニュース配信サーバ７へ送信され、ニュース配信サーバ７によってニュース記事７ｃやニュース詳細記事７ｅとともにインターネットＷを介して携帯電話端末１０に向けて送信されてもよい。しかし、本実施の形態においては、ニュース配信サーバ７がニュース記事７ｃやニュース詳細記事７ｅを、インターネットＷを介して携帯電話端末１０に向けて送信する際に、広告情報管理サーバＳが広告情報２１や広告情報２２を、インターネットＷを介して携帯電話端末１０に向けて送信するように構成されている。
【００４３】
広告情報管理サーバＳは、インターネットＷに接続されたサーバコンピュータであって、図５に示すように内部に記憶装置２３、コンピュータの主要部としてのＣＰＵ２４、メインメモリ２５を有している。その記憶装置２３は、例えばハードディスク等のデータストレージ手段であり、内部に利用者履歴情報２６、広告情報提供プログラム２７、広告情報データベース２８を保持している。
【００４４】
利用者履歴情報２６は、記憶装置２３内に構築されたデータベースである。その構造を図６に示すように、利用者履歴情報２６は、携帯サイト６ａとしての検索サイト３ａやショッピングサイト４ａから送信された検索キーワード３ｆ、商品情報４ｆ、個人情報４ｇ、サイトアクセス履歴情報４ｋ、検索時刻情報３ｈ、購入時刻情報４ｈ、検索時位置情報３ｊ、購入時位置情報４ｊ等が送受信情報として識別情報１６に関連付けられて蓄積されている。
【００４５】
これらの送受信情報（送受信時刻情報、位置情報を含む）は、携帯サイトサーバ６から広告情報管理サーバＳに向けて識別情報１６と関連付けられて送信されるごとに順次加算して蓄積されていく。したがって、蓄積量が大きくなるほど情報量も増え、携帯電話端末１０のユーザの興味を推測する精度が向上する。もちろん、蓄積される位置情報としては、検索時位置情報３ｊや購入時位置情報４ｊに限られず、携帯電話端末１０から適宜取得して蓄積することが可能である。
【００４６】
広告情報提供プログラム２７は、広告情報管理サーバＳ又はその主要部としてのＣＰＵ２４を、送受信情報取得部２４ａ、広告情報抽出部２４ｂ、順位付け部２４ｃ、広告情報提供部２４ｄとして機能させるためのプログラムである。この広告情報提供プログラム２７によって発揮されるＣＰＵ２４の各機能については後述する。
【００４７】
広告情報データベース２８は、広告情報２１，２２を含む複数の広告情報を有して構築されたデータベースである。図７にその構造を示すように、広告情報データベース２８は、広告情報２１，２２を含む複数の広告情報２９、各広告情報を提供する広告主３０、各広告主の広告主位置情報３１、広告料３２、クリック期待値３３が相互に関連付けられて構築されている。
【００４８】
広告主位置情報３１とは、例えば広告情報２９を提供する広告主の店舗や会社の所在地を示す情報である。広告料３２とは、その広告情報２９の提供の対価として広告主３０が支払う課金金額である。クリック期待値３３とは、広告情報２９が提供された場合に、提供を受けたユーザが興味を持ってその詳細情報を閲覧する確率を指標する情報である。ここで、広告情報２１，２２と広告主２１ａ，２２ａ、広告主位置情報２１ｂ，２２ｂ、広告料２１ｃ，２２ｃ、クリック期待値２１ｄ，２２ｄとがそれぞれ関連付けられているものとする。
【００４９】
なお、広告料３２は、広告情報２９が携帯電話端末１０に向けて提供されるごとに支払われるものであってもよいし、携帯電話端末１０に提供された広告情報２９の詳細情報が閲覧された場合に支払われるものであってもよい。
【００５０】
ＣＰＵ２４は、この広告情報管理サーバＳの主要部であり、記憶装置２３及びメインメモリ２５と協働して種々の演算処理を行う。ＣＰＵ２４は、広告情報提供プログラム２７からの指令に基づいて、送受信情報取得部２４ａ、広告情報抽出部２４ｂ、順位付け部２４ｃ、広告情報提供部２４ｄとしての機能を発揮する。
【００５１】
送受信情報取得部２４ａは、インターネットＷに接続された所定のインターネットサイトとしての携帯サイトとの間で送受信された送受信情報を取得する機能を有する。本実施の形態においては、検索サイト３ａ及びショッピングサイト４ａから送信された検索キーワード３ｆ、商品情報４ｆ、個人情報４ｇ、サイトアクセス履歴情報４ｋ、検索時刻情報３ｈ、購入時刻情報４ｈ、検索時位置情報３ｊ、購入時位置情報４ｊ等を送受信情報として取得する。さらに、その送受信情報を識別情報１６に関連付けて利用者履歴情報２６内に蓄積する機能を有する。
【００５２】
ここで、位置情報としてキーワード検索を行った際の検索時位置情報３ｊ、商品購入を行った際の購入時位置情報４ｊを取得しているが、もちろん、それらの行為を行った際に限られず、位置情報は適宜携帯電話端末１０から取得可能である。例えば、携帯電話端末１０のユーザが、自身の位置情報を得るためにＧＰＳ機能を利用した場合に、その位置情報が送受信情報取得部２４ａによって取得され、利用者履歴情報２６内に蓄積されてもよい。
【００５３】
広告情報抽出部２４ｂは、利用者履歴情報２６に基づいて、携帯電話端末１０に向けて提供すべき被提供広告情報（広告情報２１又は広告情報２２）を複数の広告情報２９の中から抽出する機能を有する。すなわち、広告情報抽出部２４ｂは、利用者履歴情報２６内に携帯電話端末１０の識別情報１６に関連付けられて蓄積された多量の送受信情報３ｆ，３ｈ，３ｊ，４ｆ，４ｇ，４ｈ，４ｊ，４ｋから携帯電話端末１０のユーザの興味を推測し、そのユーザに対して高い広告効果を発揮すると予想される広告情報２１，２２を抽出する。
【００５４】
ここで、広告情報抽出部２４ｂによる被提供広告情報の抽出に先立って、順位付け部２４ｃが複数の広告情報２９のすべてを所定の優先順位に従って順位付けし、その優先順位に基づいて広告情報抽出部２４ｂが、例えば優先順位１位及び２位の広告情報のみを被提供広告情報として抽出してもよい。本実施の形態においては、所定の推測手順に基づいて広告情報抽出部２４ｂが被提供広告情報としての広告情報２１，２２を抽出した後に、順位付け部２４ｃがその広告情報２１，２２を所定の優先順位に従って順位付けする。
【００５５】
所定の推測手順としては以下の手順が適用可能である。例えば、送受信情報としての複数の検索キーワードを予め定めた所定のカテゴリごとに分類し、ユーザが検索した検索キーワードを最も多く有するカテゴリと同一のカテゴリに属する広告情報を被提供広告情報として抽出する、という手順である。また、別の例では、送受信情報としての商品情報及びそのサイトアクセス履歴情報に基づいてユーザが最も頻繁にアクセスしているショッピングサイトを特定し、そのショッピングサイトに関連する広告情報を被提供広告情報として抽出する、という手順である。
【００５６】
順位付け部２４ｃは、抽出された広告情報２１，２２を所定の優先順位に従って順位付けする機能を有する。もちろん、広告情報２１，２２を含む複数の広告情報２９を所定の優先順位に従って順位付けする機能を有していてもよい。
【００５７】
所定の優先順位は、広告情報２１，２２の広告料、時刻差分情報、位置差分情報、クリック期待値のうち少なくともいずれか１に基づいて決定される。その優先順位決定手法について、以下、説明する。
【００５８】
［優先順位決定手法］
［広告料に基づく決定方法］
広告情報２１，２２の広告料２１ｃ，２２ｃの高低に基づいて優先順位を決定する方法である。例えば、広告料２１ｃが広告料２２ｃよりも高い場合、広告情報２１の優先順位を広告情報２２の優先順位よりも高く設定する。
【００５９】
この場合、広告情報２１の優先順位が常に広告情報２２の優先順位よりも高くなるように設定してもよいし、広告料２１ｃ，２２ｃの金額比率に応じて優先順位比率を設定してもよい。例えば、広告料２１ｃが７０円、広告料２２ｃが３０円の場合、広告情報２１と広告情報２２との優先順位比率を７：３となるように設定する。優先順位比率が７：３に設定されると、例えば、１０回の広告情報提供のうち広告情報２１が７回優先的に、広告情報２２が３回優先的に提供される。また例えば、１０分間の広告情報提供時間のうち広告情報２１が７分間優先的に、広告情報２２が３分間優先的に提供される。
【００６０】
なお、広告情報ごとに複数の広告料を設定しておき、複数の広告料及び後述する位置差分情報に基づいて優先順位を設定することも可能である。例えば、距離Ｌを広告主３０の広告主位置情報３１が示す位置と携帯電話端末１０の位置情報が示す位置との差分と定義し、複数の距離における広告料を予め設定しておく。例えば、広告情報２１の広告料２１ｃについて、距離Ｌ＝０のときの広告料Ｐ０と距離Ｌ＝２０ｋｍのときの広告料Ｐ２０とを予め設定しておく。広告料Ｐ２０は広告料Ｐ０よりも小さい値に設定する。また、広告情報２２の広告料２２ｃについて、距離Ｌ＝０のときの広告料Ｐ６と距離Ｌ＝２０ｋｍのときの広告料Ｐ２６とを予め設定しておく。広告料Ｐ２６は広告料Ｐ６よりも小さい値に設定する。
【００６１】
一般に、距離Ｌが大きくなるほど広告の効果は低下するので、図８に示すように、広告情報２１の広告価値情報ＣＰＣを関数ｆ（Ｌ）で定義し、広告情報２２の広告価値情報ＣＰＣを関数ｇ（Ｌ）で定義する。ここで、広告情報２１についてＬ＝０のときの広告価値情報ＣＰＣ＝Ｐ０、Ｌ＝２０ｋｍのときの広告価値情報ＣＰＣ＝Ｐ２０である。広告情報２２についてＬ＝０のときの広告価値情報ＣＰＣ＝Ｐ６、Ｌ＝２０ｋｍのときの広告価値情報ＣＰＣ＝Ｐ２６である。
【００６２】
この広告価値情報ＣＰＣに基づいて、広告情報２１，２２の優先順位を設定する。なお、距離Ｌは、例えば、検索キーワード３ｆに基づいて広告情報２１，２２が抽出された場合、広告情報２１に関連する広告主位置情報２１ｂが示す位置をｐ２１ｂ、広告情報２２に関連する広告主位置情報２２ｂが示す位置をｐ２２ｂ、検索時位置情報３ｊが示す位置をｐ３ｊとすると、
広告情報２１についてのＬ＝｜ｐ２１ｂ−ｐ３ｊ｜
広告情報２２についてのＬ＝｜ｐ２２ｂ−ｐ３ｊ｜
である。同様に、例えば商品情報４ｆに基づいて広告情報２１，２２が抽出された場合、購入時位置情報４ｊが示す位置をｐ４ｊとすると、
広告情報２１についてのＬ＝｜ｐ２１ｂ−ｐ４ｊ｜
広告情報２２についてのＬ＝｜ｐ２２ｂ−ｐ４ｊ｜
である。
【００６３】
［時刻差分情報に基づく決定方法］
時刻差分情報とは、現時点の時刻情報と送受信情報としての送受信時刻情報との時間差を示す情報を意味する。ここで「現時点」は広告提供時点、すなわち広告情報管理サーバＳから携帯電話端末１０に向けて広告情報を提供する時点を意味し、優先順位付けを行う時点と略等価である。例えば、検索キーワード３ｆに基づいてユーザがキーワード検索を行った時刻（検索時刻情報）３ｈが、現時点からみて随分以前の時刻であれば、その検索キーワード３ｆの重要性は低いと判断する。逆に、検索時刻情報３ｈが、現時点に近い時刻であれば、その検索キーワード３ｆの重要性は高いと判断する。
【００６４】
同様に、ユーザがショッピングサイト４ａにおいて商品購入を行った時刻（購入時刻情報）４ｈが、現時点からみて随分以前の時刻であれば、その商品情報４ｆやショッピングサイト４ａのサイトアクセス履歴情報４ｋの重要性は低いと判断する。逆に、購入時刻情報４ｈが、現時点に近い時刻であれば、その商品情報４ｆやショッピングサイト４ａのサイトアクセス履歴情報４ｋの重要性は高いと判断する。
【００６５】
したがって、検索キーワード３ｆに基づいて広告情報２１が抽出され、商品情報４ｆに基づいて広告情報２２が抽出されたとき、現時点時刻情報をｔｎ、検索時刻情報３ｈが示す時刻をｔ３ｈ、購入時刻情報４ｈが示す時刻をｔ４ｈとすると、（ｔｎ−ｔ３ｈ）＜（ｔｎ−ｔ４ｈ）の場合に広告情報２１を優先し、（ｔｎ−ｔ３ｈ）＞＝（ｔｎ−ｔ４ｈ）の場合に広告情報２２を優先する。
【００６６】
［位置差分情報に基づく決定方法］
位置差分情報とは、広告主位置情報と送受信情報としての携帯電話端末位置情報との距離を示す情報を意味する。例えば、検索時位置情報３ｊや購入時位置情報４ｊが示す位置から距離が離れた広告主位置情報３１に関連する広告情報２９は、その携帯電話端末１０のユーザにとってあまり有益でない。
【００６７】
したがって、例えば広告情報２１，２２が検索キーワード３ｆに基づいて抽出されたとき、｜ｐ２１ｂ−ｐ３ｊ｜＜｜ｐ２２ｂ−ｐ３ｊ｜の場合に広告情報２１を優先し、｜ｐ２１ｂ−ｐ３ｊ｜＞＝｜ｐ２２ｂ−ｐ３ｊ｜の場合に広告情報２２を優先する。
【００６８】
同様に、例えば広告情報２１，２２が商品情報４ｆに基づいて抽出されたとき、｜ｐ２１ｂ−ｐ４ｊ｜＜｜ｐ２２ｂ−ｐ４ｊ｜の場合に広告情報２１を優先し、｜ｐ２１ｂ−ｐ４ｊ｜＞＝｜ｐ２２ｂ−ｐ４ｊ｜の場合に広告情報２２を優先する。
【００６９】
［時刻差分情報及び位置差分情報に基づく決定方法］
上記の時刻差分情報と位置差分情報とをともに利用してより一層精度の高い順位付けを行うことも可能である。例えば、以下の式（１）に基づいて優先順位情報Ｈを広告情報ごとに算出し、優先順位情報Ｈが小さい広告情報を高い優先順位とする。
【００７０】
Ｈ＝ｋ×（ｃ１・Ｔ×ｃ２・Ｌ）（ただし、ｋは係数）        −（１）
ここで、ｃ１は時間差重み付け係数、ｃ２は距離重み付け係数、Ｔは時刻差分情報に基づく時間差、Ｌは位置差分情報に基づく距離である。
【００７１】
例えば、広告情報２１が検索キーワード３ｆに基づいて抽出され、広告情報２２が商品情報４ｆに基づいて抽出されたとする。そうすると、広告情報２１の優先順位情報Ｈ２１は、
Ｈ２１＝ｋ×（ｃ１・Ｔ２１×ｃ２・Ｌ２１）              −（２）
で算出され、広告情報２２の優先順位情報Ｈ２２は、
Ｈ２２＝ｋ×（ｃ１・Ｔ２２×ｃ２・Ｌ２２）              −（３）
で算出される。
【００７２】
ここで、
Ｔ２１＝ｔｎ−ｔ３ｈ                                    −（４）
Ｔ２２＝ｔｎ−ｔ４ｈ                                    −（５）
Ｌ２１＝｜ｐ２１ｂ−ｐ３ｊ｜                            −（６）
Ｌ２２＝｜ｐ２２ｂ−ｐ４ｊ｜                            −（７）
である。
【００７３】
なお、時間差による影響と距離による影響とのいずれを重視するかによって、時間差重み付け係数ｃ１又は距離重み付け係数ｃ２を適宜調整することが可能である。
【００７４】
［クリック期待値に基づく決定方法］
クリック期待値ＣＴＲは携帯電話端末１０の表示画面１０ａに広告情報２９が提供された場合にその広告情報２９の詳細情報が閲覧される確率を指標する数値である。広告情報２９が表示画面１０ａに提供されただけの場合に比較して、広告情報２９の詳細情報が閲覧された場合は非常に高い広告効果を発揮したと考えられる。したがって、クリック期待値ＣＴＲを広告情報２９の詳細情報が閲覧されるであろう確率と定義し、広告情報２９の詳細情報閲覧確率（＝広告情報の詳細情報が閲覧された回数／広告情報が表示画面１０ａに提供された回数）に基づいて推定することにより、その広告効果の有効性を指標する数値となる。例えば、広告情報２１のクリック期待値２１ｄが３０％であり、広告情報２２のクリック期待値２２ｄが１２％であれば、広告情報２１の優先順位が広告情報２２の優先順位よりも高く設定される。
【００７５】
また、クリック期待値ＣＴＲにさらに距離の関数を含ませて、より一層順位付けの精度を向上させることも可能である。
【００７６】
図９に示すように、距離の関数を含む距離クリック期待値ＣＴＲＰは距離Ｌに基づいて変動する数値であり、距離Ｌの関数ｊ（Ｌ）で表すことできる。一般には距離Ｌが遠くなるほど距離クリック期待値ＣＴＲＰは低下する。しかし、広告主３０の人気度や広告情報２９の内容によって距離クリック期待値ＣＴＲＰが距離Ｌの増加とともにどの程度低下するかを特定するのは困難である。また、広告主３０ごとに距離クリック期待値ＣＴＲＰやその低下の度合いは異なる。したがって、順位付け部２４ｃによって広告情報２１，２２ごとの距離クリック期待値ＣＴＲＰを推定する。
【００７７】
その推定演算は、ニューラルネットワークを利用した学習演算に基づいて行われる。例えば、携帯電話端末１０の表示画面１０ａに検索キーワード３ｆに基づいて抽出された広告情報２１が提供された場合に、広告主位置情報２１ｂから検索時位置情報３ｊまでの位置差分情報（距離Ｌ）と広告情報２１の詳細情報が閲覧されたか否かの情報とを取得し、統計的にデータ蓄積を行う。
【００７８】
それにより、広告情報２１の所定距離Ｌにおけるクリック期待値ＣＴＲの実測値を取得することができる。図９中の複数の△は、各距離Ｌにおける広告情報２１の詳細情報閲覧確率（クリック期待値ＣＴＲ）の実測値Ｒの分布を示す。その実測値Ｒの統計情報に基づいて、各距離Ｌにおける広告情報２１の距離クリック期待値ＣＴＲＰを推定する。この距離クリック期待値ＣＴＲＰに基づいて広告情報２１の優先順位や広告情報２２の優先順位を設定する。
【００７９】
このようにクリック期待値ＣＴＲや距離クリック期待値ＣＴＲＰは、過去の統計情報に基づいて推定されるので、その統計情報の蓄積量が多くなるほど推定精度が向上し、また、統計情報が変動することによりクリック期待値の推定値も変動することとなる。
【００８０】
これらのクリック期待値ＣＴＲや距離クリック期待値ＣＴＲＰと上述の広告価値情報ＣＰＣとを用いて、広告情報の優先順位情報ＨＣを以下の式（８）に基づいて算出することもできる。
【００８１】
ＨＣ＝ｋ２／（ＣＰＣ×ＣＴＲＰ）  （ただし、ｋ２は係数）    −（８）
ここで、広告情報ごとに算出した優先順位情報ＨＣが小さい方が高い優先順位に設定される。
【００８２】
広告情報提供部２４ｄは、順位付け部２４ｃによって順位付けされた広告情報２１，２２を携帯電話端末１０がニュース配信サイト７ａにアクセスした際に、識別情報１６に基づいて携帯電話端末１０に向けて提供する機能を有する。すなわち、携帯電話端末１０がニュース配信サイト７ａにアクセスしたことを示すアクセス情報をニュース配信サイト７ａから受信し、その受信に基づいて広告情報２１，２２を携帯電話端末１０に向けて提供する。ニュース配信サイト７ａにアクセスしたことを示すアクセス情報には、アクセス時刻の情報が含まれており、アクセス時刻の情報に基づいて時刻差分情報算出の際の現時点時刻情報ｔｎが決定される。広告情報２１，２２は順位付け部２４ｃによって順位付けされているので、その優先順位に従って携帯電話端末１０の表示画面１０ａに表示されるように広告情報２１，２２が提供される。
【００８３】
ここで「携帯電話端末１０に向けて提供」は、「携帯電話端末１０に向けて送信」すること及び「携帯電話端末１０において提供されるように、ニュース配信サーバ７等の携帯サイトサーバ６に向けて送信」することを含む。本実施の形態においては、ニュース配信サーバ７から携帯電話端末１０によるアクセス情報を受信すると、広告情報提供サーバＳは携帯電話端末１０の識別情報１６に基づいて広告情報２１，２２をニュース配信サーバ７に向けて送信する。
【００８４】
携帯電話端末１０の識別情報１６と関連付けて広告情報２１，２２をニュース配信サーバ７に向けて送信するので、携帯サイトサーバ６とは異なる広告情報管理サーバＳからでも確実に携帯電話端末１０で提供されるように広告情報２１，２２を送信することができる。
【００８５】
次に、本発明の実施の形態に係る広告情報提供方法を利用する手順について図１０に示すフローチャートを用いて説明する。なお、ここでは順位付け部２４ｃは、時刻差分情報及び位置差分情報に基づいて優先順位情報Ｈを算出するものとする。
【００８６】
携帯電話端末１０のユーザが検索サイト３ａにアクセスし、検索キーワード３ｆを入力してキーワード検索を行う（Ｓ．１）。そうすると、検索サイト３ａから携帯電話端末１０に向けて検索結果が送信されるとともに、広告情報管理サーバＳに向けて送受信情報としての検索キーワード３ｆ、検索時刻情報３ｈ、検索時位置情報３ｊが携帯電話端末１０の識別情報１６に関連付けて送信される（Ｓ．２）。その検索キーワード３ｆ、検索時刻情報３ｈ、検索時位置情報３ｊは識別情報１６に関連付けられて利用者履歴情報２６として記憶装置２３内に蓄積される（Ｓ．３）。
【００８７】
また、携帯電話端末１０のユーザがショッピングサイト４ａにアクセスし、商品情報４ｆの指定と個人情報４ｇの入力とを行って商品購入を行う（Ｓ．４）。そうすると、ショッピングサイト４ａから広告情報管理サーバＳに向けて送受信情報としての商品情報４ｆ、個人情報４ｇ、購入時刻情報４ｈ、購入時位置情報４ｊ、サイトアクセス履歴情報４ｋが携帯電話端末１０の識別情報１６に関連付けて送信される（Ｓ．５）。その商品情報４ｆ、個人情報４ｇ、購入時刻情報４ｈ、購入時位置情報４ｊ、サイトアクセス履歴情報４ｋは識別情報１６に関連付けられて利用者履歴情報２６として記憶装置２３内に蓄積される（Ｓ．６）。
【００８８】
携帯電話端末１０のユーザがニュース配信サイト７ａにアクセスすると、そのアクセス情報が広告情報管理サーバＳへ向けて送信される（Ｓ．７）。広告情報管理サーバＳの広告情報抽出部２４ｂによって、利用者履歴情報２６内の検索キーワード３ｆに基づいて複数の広告情報２９の中から広告情報２１が抽出される（Ｓ．８）。さらに、商品情報４ｆに基づいて複数の広告情報２９の中から広告情報２２が抽出される（Ｓ．９）。
【００８９】
広告情報管理サーバＳの順位付け部２４ｃによって、広告情報２１の優先順位情報Ｈ２１が上式（２）に基づき算出される（Ｓ．１０）。また、広告情報２２の優先順位情報Ｈ２２も上式（３）に基づき算出される（Ｓ．１１）。
【００９０】
広告情報管理サーバＳの広告情報提供部２４ｄによって、広告情報２１，２２がそれぞれ識別情報１６に基づき、ニュース配信サーバ７へと送信される（Ｓ．１２）。優先順位情報Ｈ２１，Ｈ２２に基づいて広告情報２１，２２が広告掲載枠７ｇ，７ｈ内に掲載されるよう、ニュース配信サーバ７からニュース記事７ｃやニュース詳細記事７ｅ等とともに広告情報２１，２２が携帯電話端末１０へ向けて送信される（Ｓ．１３）。それにより、携帯電話端末１０の表示画面１０ａにニュース画面７ｂ又はニュース詳細画面７ｄが表示され、その広告掲載枠７ｇ，７ｈには優先順位情報Ｈ２１，Ｈ２２に基づいて広告情報２１，２２が掲載される（Ｓ．１４）。
【００９１】
以上、本発明の好ましい実施の形態を説明したが、本発明はこれらに限定されるものではなく、その要旨の範囲内で様々な変形や変更が可能である。
【図面の簡単な説明】
【００９２】
【図１】本発明の実施の形態に係る広告情報提供方法を実現するための広告情報提供システムを含む全体構成を示す概略ブロック図である。
【図２】図１に示す携帯電話端末の表示画面に検索サイトのキーワード検索画面が表示された状態を示す図であって、（ａ）は、検索キーワードを入力する前の状態を示す図であり、（ｂ）は検索結果が表示された状態を示す図である。
【図３】図１に示す携帯電話端末の表示画面にショッピングサイトの商品選択画面が表示された状態を示す図である。
【図４】図１に示す携帯電話端末の表示画面にニュース配信サイトの画面が表示された状態を示す図であり、（ａ）はニュース画面が表示された状態を示す図であり、（ｂ）はニュース詳細画面が表示された状態を示す図である。
【図５】図１に示す広告情報管理サーバの内部構成の概略を示すブロック図である。
【図６】図５に示す広告管理サーバの記憶装置内に保持された利用者履歴情報のデータ構造を説明する構造図である。
【図７】図５に示す広告管理サーバの記憶装置内に保持された広告情報データベースのデータ構造を説明する構造図である。
【図８】広告価値情報と距離との関係を示すグラフである。
【図９】距離クリック期待値と距離との関係を示すグラフである。
【図１０】この広告情報提供方法を利用する手順を説明するためのフローチャートである。
【符号の説明】
【００９３】
ｃ１：時間差重み付け係数
ｃ２：距離重み付け係数
ＣＰＣ：広告価値情報
ＣＴＲ：クリック期待値
ＣＴＲＰ：距離クリック期待値
ｆ，ｇ，ｊ：関数
Ｈ，Ｈ２１，Ｈ２２，ＨＣ：優先順位情報
ｋ，ｋ２：係数
Ｌ：距離
ｐ２１ｂ，ｐ２２ｂ，ｐ３ｊ，ｐ４ｊ：位置
Ｐ０，Ｐ６，Ｐ２０，Ｐ２６：広告料
Ｒ：実測値
Ｓ：広告情報管理サーバ（広告情報提供システム）
Ｔ：時間差
ｔ３ｈ，ｔ４ｈ：時刻
ｔｎ：現時点時刻情報
Ｗ：インターネット
２：基地局
３：検索サイトサーバ
３ａ：検索サイト
３ｂ：キーワード検索画面
３ｃ：検索キーワード入力部
３ｄ：検索結果表示部
３ｆ：検索キーワード（送受信情報）
３ｇ：検索開始ボタン
３ｈ：検索時刻情報（送受信時刻情報、送受信情報の一部）
３ｊ：検索時位置情報（位置情報、送受信情報の一部）
４：ショッピングサイトサーバ
４ａ：ショッピングサイト
４ｂ：商品選択画面
４ｄ：購入ボタン
４ｆ：商品情報（送受信情報）
４ｇ：個人情報（送受信情報）
４ｈ：購入時刻情報（送受信時刻情報、送受信情報の一部）
４ｊ：購入時位置情報（位置情報、送受信情報の一部）
４ｋ：サイトアクセス履歴情報（送受信情報の一部）
６：携帯サイトサーバ（携帯電話用のインターネットサーバ）
６ａ：携帯サイト
７：ニュース配信サーバ
７ａ：ニュース配信サイト（広告表示サイト）
７ｂ：ニュース画面
７ｃ：ニュース記事
７ｄ：ニュース詳細画面
７ｅ：ニュース詳細記事
７ｆ：画像
７ｇ，７ｈ：広告掲載枠
１０：携帯電話端末（無線通信端末）
１０ａ：表示画面
１２：ＧＰＳ衛星
１４：位置情報
１６：識別情報
２１，２２：広告情報（被提供広告情報）
２１ａ，２２ａ，３０：広告主
２１ｂ，２２ｂ，３１：広告主位置情報
２１ｃ，２２ｃ，３２：広告料
２１ｄ，２２ｄ，３３：クリック期待値
２３：記憶装置
２４：ＣＰＵ（コンピュータの主要部）
２４ａ：送受信情報取得部
２４ｂ：広告情報抽出部
２４ｃ：順位付け部
２４ｄ：広告情報提供部
２５：メインメモリ
２６：利用者履歴情報
２７：広告情報提供プログラム
２８：広告情報データベース
２９：広告情報
【図１】
2008097545.tif 000003
【図２】
2008097545.tif 000004
【図３】
2008097545.tif 000005
【図４】
2008097545.tif 000006
【図５】
2008097545.tif 000007
【図６】
2008097545.tif 000008
【図７】
2008097545.tif 000009
【図８】
2008097545.tif 000010
【図９】
2008097545.tif 000011
【図１０】
2008097545.tif 000012